(57)【要約】【課題】左右風向変更羽根を有する空気調和機において、吹き出し風を左右に送風する際の吹き分け性を向上させ居室内の温度分布を良化させ、快適空間を実現する空気調和機を提供すること。【解決手段】上下風向変更羽根を上羽根と下羽根とで構成し下羽根は吹出口の幅より狭い部分と、端部に吹出口の幅より広い部分を左右に突出させ、その突出した部分に吹出風ガイドとなる突起部を形成し、左右への吹き分け時の送風性能を向上させた。【選択図】図１
2013011413.tif 000002
【特許請求の範囲】
【請求項１】
室内機に、吹出口から吹き出される空気の向きを上下に変更する上羽根と下羽根とを有す上下風向変更羽根と、空気の向きを左右に変更する左右風向変更羽根とを備え、前記上下風向変更羽根は、前記吹出口の両側壁の間に位置する幅狭部と、前記幅狭部より前方に位置する幅広部とを有し、前記幅狭部の横幅が前記吹出口の最小横幅より短く、前記幅広部の横幅が前記吹出口の横幅より長い空気調和機であって、前記上羽根と前記下羽根のうち少なくとも前記下羽根には前記幅広部の両端近傍に、上流側から下流側且つ外側に向かって延びる突起部を設けたことを特徴とする空気調和機。
【請求項２】
室内機に、吹出口から吹き出される空気の向きを上下に変更する上羽根と下羽根とを有す上下風向変更羽根と、空気の向きを左右に変更する左右風向変更羽根とを備え、前記上下風向変更羽根は、前記吹出口の両側壁の間に位置する幅狭部と、前記幅狭部より前方に位置する幅広部とを有し、前記幅狭部の横幅が前記吹出口の最小横幅より短く、前記幅広部の横幅が前記吹出口の横幅より長い空気調和機であって、前記上羽根と前記下羽根のうち少なくとも前記下羽根には前記幅狭部より前記幅広部に向かって幅が徐々に拡大する拡大部分を有し、前記下羽根の両端近傍には、前記拡大部分から前記幅広部にかけて、上流側から下流側且つ外側に向かって延びる突起部を設けたことを特徴とする空気調和機。
【請求項３】
前記突起部の上流端が前記吹出口の側壁の最小幅の部分より下流側に有り、前記突起部の下流端は前記上流端より前記吹出口の両端部に近接していることを特徴とする請求項１あるいは２のいずれかに記載の空気調和機。
【請求項４】
前記突起部の上流端から下流端に向かって前方に膨らみを持ち滑らかに弧を描いていることを特徴とする請求項１あるいは２のいずれかに記載の空気調和機。
【請求項５】
前記突起部は、内側の突起部と外側の突起部の２本の突起部から形成され、前記内側の突起部と前記外側の突起部の間隔が上流端から下流端に向かって徐々に拡がるように配置したことを特徴とする請求項１〜４のいずれかに記載の空気調和機。
【請求項６】
前記突起部の吹出口側の長手方向の面は上流端から下流端に向かって前記上下風向変更羽根の面に対して徐々に傾斜が徐々に大きくなるように設定したことを特徴とする請求項１〜５のいずれかに記載の空気調和機。
【発明の詳細な説明】
【技術分野】
【０００１】
本発明は、室内機に、吹出口から吹き出される空気の向きを変更する風向変更羽根を設け、風向変更羽根を制御して空調運転を行う空気調和機に関し、特に吹出口から吹き出される空気の向きを変更する上下風向変更羽根の形状に関する。
【背景技術】
【０００２】
従来の空気調和機には、室内機の吹出口から吹き出される空気の向きを変更する風向変更羽根が設けられており、風向変更羽根は、吹出口から吹き出される空気の向きを上下に変更する上下風向変更羽根と、吹出口から吹き出される空気の向きを左右に変更する左右風向変更羽根とで構成されている。
【０００３】
上下風向変更羽根は、通常１枚の羽根で構成され、空気調和機の停止時には吹出口を上下風向変更羽根で覆うべく回転するため、横幅は吹出口の幅より若干狭く設定され、空気調和機の運転時には吹出口を開き、吹出口から吹き出される空気の向きを上下に変更している。左右風向変更羽根は吹出口に複数の左右羽根が連結桟に回動可能に固定された左方向用と右方向の２対からなっており、左右羽根の方向を変えることにより吹き出される空気の左右の向きを変更することが出来る。
【０００４】
また、上下風向変更羽根に吹出風ガイドを設け吹出風をより外側に案内しようとするものもある（例えば、特許文献１、２参照）。
【先行技術文献】
【特許文献】
【０００５】
【特許文献１】特開平６−２８８６０５号公報
【特許文献２】特開２００６−１７７６０３号公報
【発明の概要】
【発明が解決しようとする課題】
【０００６】
しかしながら、前記従来の構成では、上下風向変更羽根に設けられた吹出風ガイドが吹出口の前方にあるため、左右風向変更羽根の角度が吹出風ガイドの角度と同方向の場合は効果が得られるが、角度が一致しない場合には吹出風の妨げとなり左右風向の変更性能が十分得られないという問題がある。
【０００７】
本発明は、従来技術の有するこのような問題点に鑑みてなされたものであり、上下風向変更羽根を上羽根と下羽根で構成し下羽根は吹出口の幅より狭い部分と、端部に吹出口の幅より広い部分を左右に突出させ、その突出した部分に吹出風ガイドを形成し左右風向の変更性能を十分発揮できる空気調和機を提供することを目的としている。
【課題を解決するための手段】
【０００８】
上記目的を達成するために、本発明は室内機に、吹出口から吹き出される空気の向きを上下に変更する上羽根と下羽根とを有す上下風向変更羽根と、空気の向きを左右に変更する左右風向変更羽根とを備え、前記吹出口の両側壁の間に位置する幅狭部と、前記幅狭部より前方に位置する幅広部を前記上下風向変更羽根の両端近傍に有し、前記幅狭部の横幅が前記吹出口の最小横幅より短く、前記幅広部の横幅が前記吹出口の横幅より長い空気調和機であって、前記下羽根の幅広部に、突起部を設けたものである。
【０００９】
また、室内機に、吹出口から吹き出される空気の向きを上下に変更する上羽根と下羽根
とを有す上下風向変更羽根と、空気の向きを左右に変更する左右風向変更羽根とを備え、前記上羽根と前記下羽根とには前記吹出口の両側壁の間に位置する幅狭部と、前記幅狭部より前方に位置する幅広部とを有し、少なくとも前記下羽根には前記幅狭部より幅広部に向かって徐々に幅が拡大する部分を前記下羽根に有し、前記幅広部の横幅が前記吹出口の横幅より長く、前記下羽根の幅狭部から幅広部に向かって突起部を設けたものである。
【００１０】
また、突起部の上流端が前記吹出口の側壁の最小幅の部分より下流側に有り、下流端は上流端より前記吹出口の両端部に近接させたものである。
【００１１】
さらに、突起部の上流端から下流端に向かって滑らかに弧を描いているものである。
【００１２】
また、２本の突起部の間隔は上流端から下流端に向かって徐々に拡がるように設定されている。
【００１３】
また、突起部の送風路側の面は上流端から下流端に向かって徐々に傾斜を大きく設定している。
【発明の効果】
【００１４】
本発明によれば、下羽根の幅広部で、吹出口の最小横幅より長く設定され、幅狭部より突出した左右２箇所に、上流側から下流側に向かって２本の突起部を設けたことにより、左右羽根により吹出角度を変更され、左右羽根から遠ざかるにつれて前方に進もうとする空気を外側に導き、所望方向に空気を吹き出すことが出来る。
【００１５】
同様に、下羽根の幅狭部から幅広部に徐々に幅が変化する位置を上流端とし、下流端が幅広部に位置する、２本の突起部を設けたことにより左右羽根により吹出角度を変更され、左右羽根から遠ざかるにつれて前方に進もうとする空気を外側に導き、所望方向に空気を吹き出すことが出来る。
【００１６】
また、突起部の上流端が吹出口の最小幅の側壁より下流側に有り、前記突起部の下流端は前記上流端より前記吹出口の両端部に近接させてたことにより、左右風向変更羽根の角度と２本の突起部の角度が一致しない時にも、吹出風の妨げにならない。
【００１７】
更に、突起部は上流端から下流端に向かって前方に膨らみを持ち滑らかに弧を描いていること、２本の突起部の間隔は上流端から下流端に向かって徐々に拡がるように設定したこと、突起部の送風路側の面は上流端から下流端に向かって傾斜が徐々に大きくなるように設定したことにより、吹出風が上流端から下流端に向かう過程において渦放出を抑制し騒音の発生を抑制することが出来る。
【図面の簡単な説明】
【００１８】
【図１】本発明に係る空気調和機を構成する室内機の外観図と突起部設置部の拡大図
【図２】図１の室内機の横断面図
【図３】図２の線Ａ−Ａによる部分断面図と突起部設置部の拡大図
【図４】本発明に係る下羽根の平面図
【図５】図５の線Ｂ−Ｂによる下羽根の断面図
【図６】図５の線Ｃ−Ｃによる下羽根の断面図
【図７】図２の線Ａ−Ａによる部分断面図
【発明を実施するための形態】
【００１９】
以下、本発明の実施の形態について、図面を参照しながら説明する。
【００２０】
一般家庭で使用される空気調和機は、通常冷媒配管で互いに接続された室内機と室外機とで構成されており、図１は本発明に係る空気調和機の室内機を示している。
【００２１】
室内機１は、壁に取り付けるための台枠２と前面グリル３と前面グリル３に取り付けられた前面パネル４で外装と筐体を構成している。
【００２２】
また、室内機１の内部には、上面開口部３ａ及び前面開口部３ｂから取り入れられた室内空気を熱交換器５で熱交換して室内に吹き出すためのファン６と、熱交換した空気を室内に吹き出す吹出口７を開閉するとともに空気の吹き出し方向を上下に変更する上羽根８と下羽根９と、上面開口部３ａ及び前面開口部３ｂと熱交換器５との間に、上面開口部３ａ及び前面開口部３ｂから取り入れられた室内空気に含まれる塵埃を除去するためのフィルタ１１が設けられている。
【００２３】
台枠２のリアケース２ａが底面、吹出グリル１２のスタビライザ１２ａが天井面、吹出グリル１２の側壁１２ｂが両側面からなる通風路１５の出口を吹出口７と呼び、複数枚が連結桟１３で連結された左右羽根１０は、室内機１の正面から見て左側に位置する一組の左羽根１０ａと、右側に位置する一組の右羽根１０ｂが通風路１５に配置され、空気の吹き出し方向を左右に変更することが出来る。
【００２４】
空気調和機が運転を開始すると、上羽根８、下羽根９は開制御されて吹出口７を開放し、ファン６が駆動されることで、室内空気は前面開口部３ｂ及び上面開口部３ａを介して室内機１の内部に取り入れられる。取り入れられた室内空気は熱交換器５で熱交換を行い、ファン６を通過して、ファン６の下流側に形成された通風路１５を通過し吹出口７より吹き出される。
【００２５】
尚、上述した用語「スタビライザ」は、ファン６の下流近傍に位置し、ファン６の前部付近に発生する渦を安定化させるスタビライザと、このスタビライザの下流側に位置しファン６により搬送される空気の圧力回復を担うディフューザの前部壁部分に分けることもできるが、本願明細書では、これらを総称して「スタビライザ」という。
【００２６】
ここで、下羽根９の形状について詳述する。
【００２７】
図３は図２に示される室内機の線Ａ−Ａに沿った断面図である。
【００２８】
下羽根９は駆動軸９ａが、吹出グリル１２の両側壁１２ｂに回転可能に支持され、吹出グリル１２の外部に設けた駆動モータ（図示せず）にて回転する。
【００２９】
下羽根９の横幅は一定では無く、吹出グリル１２の両側壁１２ｂの間に位置する幅狭部９ｂと空気調和機停止時に幅狭部９ｂの上方に位置し吹出口７の両サイドの前面グリル３を覆う幅広部９ｃとを備えている。幅狭部９ｂの横幅（左右方向の長さ）は、吹出口７の横幅より僅かに短く設定され、幅広部９ｃの横幅は、吹出口７の横幅より長く設定されている。
【００３０】
同様に、上羽根８の横幅も一定ではなく、駆動軸８ａに連結され（図１参照）吹出グリル１２の両側壁１２ｂに回転可能に支持され、吹出グリル１２の両側壁１２ｂの間に位置する幅狭部８ｂと、空気調和機停止時に幅狭部８ｂの上方に位置し吹出口７の上方及び両サイドの前面グリル３を覆う幅広部８ｃとを備えている。幅狭部８ｂの横幅（左右方向の長さ）は、吹出口７の横幅より僅かに短く設定され、幅広部８ｃの横幅は、吹出口７の横幅より長く設定されている。
【００３１】
このように設定することで、吹出口７の上流側では、吹出風が、下羽根９と上羽根８と左右の側壁１２ｂに挟まれ、上下左右に漏れることなく変更されて、吹出口７より吹き出される一方、吹出口７の外側（下流側）では、左右に変更された吹き出し風が吹出口７の左右の端部よりもさらに左右に吹き出されても、吹出口７の左右の側壁１２ｂよりも外側に突出された下羽根９、上羽根８により拡散することなく、上下及び左右の変更方向を維持することができる。
【００３２】
吹き出し風の上下、左右の変更方向を維持する効果は、上羽根８、下羽根９の横幅が長いほど大きいが、室内機のデザイン等を考慮して、幅広部８ｃ，９ｃの横幅は室内機1の本体横幅に略等しく設定されている。
【００３３】
図３に示すように、下羽根９の幅広部９ｃで、吹出口７の最小横幅より長く設定され、幅狭部９ｂよりより突出した左右２箇所に下羽根９が閉じた時、室内機１の前方から見えない面に上流側から下流側且つ外側に向かって延びる２本の突起部Ａ１６，突起部Ｂ１７を設けている。
【００３４】
突起部Ａ１６、突起部Ｂ１７は上流端１６ａ，１７ａから下流端１６ｂ，１７ｂに向かって前方側に膨らみ持った滑らかな弧状になっている。
【００３５】
また、上流端１６ａ，１７ａの弧に接する接線ａ、接線ｂは、左右羽根１０が右側に最大傾いた時の角度とほぼ等しくなるように突起部Ａ１６、突起部Ｂ１７の角度を設定している。
【００３６】
さらに、突起部Ａ１６の上流端１６ａは、吹出グリル１２の側壁１２ｂより外側を起点としている。
【００３７】
図３は左右変更羽根である左右羽根１０が、左羽根１０ａは左吹出、右羽根１０ｂは右吹出に設定された場合を示し、図３の拡大図は吹出口７の右側を示したものである。この拡大図を参照に左右吹出方向が右側に設定された場合の空気の流れを説明する。
【００３８】
まず、突起部Ａ１６、突起部Ｂ１７を配置しない場合を考えると、ファン６によって送り出された空気の進路は、右方向に角度を設定された左右羽根１０により矢印Ｃに示すように右側に変更される。左右羽根１０によって変更される空気の角度は、空気の主流が前方へ進もうとする力が大きいため左右羽根１０の角度より小さくなる。つまり空気の希望変更角度を左右羽根１０の傾き角度と同じにしても希望変更角度は得られない。さらに、左右羽根１０の傾き角度を大きくすることが考えられるが、大きくすると空気を送り出す時の抵抗が大きくなることや、冷房運転時には結露を発生するなどの性能上の点から大きく出来る限度がある。
【００３９】
次に、突起部Ａ１６、突起部Ｂ１７を配置した場合を説明する。突起部Ａ１６、突起部Ｂ１７の上流端は、左右羽根１０により角度変更された主流（矢印Ｃ）の中に有り、吹き出された空気の一部は突起部Ａ１６、突起部Ｂ１７にガイドされて右方向に角度変更される（矢印ｄ）。突起部Ａ１６、突起部Ｂ１７の上流端の入り口角度は左右羽根１０の最大傾き角度とほぼ等しく設定されており、空気が突起部Ａ１６、突起部Ｂ１７に沿い易くなっている。また、上流端から下流端に向かって滑らかな弧を描いており空気の進路を外側に角度変更出来、左右羽根１０だけでは得られない空気の変更角度を補うことが出来る。
【００４０】
また、突起部Ａ１６、突起部Ｂ１７の上流端は、吹出グリル１２の側壁１２ｂよりも外側（吹出口７の外）に設定しているため、吹出方向が正面あるいは突起部Ａ１６、突起部Ｂ１７の傾きと逆の向きであっても、空気が突起部Ａ１６、突起部Ｂ１７に当たらないた
め空気の抵抗とならない。
【００４１】
次に、突起部Ａ１６、突起部Ｂ１７の形状について図４、図５、図６を用いて説明する。突起部Ａ１６と突起部Ｂ１７の間隔は、上流端から下流端に向かって徐々に広くなっている。図５、図６に示すＬ１とＬ２の関係がＬ１＜Ｌ２に設定している。また、突起部Ａ１６、突起部Ｂ１７の吹出口７側の面は上流端から下流端に向かって徐々に傾斜を大きくしている。図５、図６に示すθ１とθ２の関係がθ１＜θ２に設定している。このことにより吹出風が上流端から下流端に向かう過程において渦放出を抑制し騒音の発生を抑制することが出来る。
【００４２】
さらに、傾斜を設けその傾斜を徐々に大きくすることにより空気が斜面に沿い空気の方向を曲げる手助けとなる。
【００４３】
次に、空気をさらに角度変更するための方策について図７を用いて説明する。吹出グリル１２の側壁１２ｂの出口部分に斜面１２ｃを設け、側壁１２ｂと滑らかに繋ぐ。一方下羽根９は、吹出口７の両側壁１２ｂの間に位置する幅狭部９ｂと吹出口７の前方にある幅広部９ｃと、幅狭部９ｂより幅広部９ｃに向かって徐々に幅が拡大する三角エリア（拡大部分）９ｄからなり、突起部Ａ１６、突起部Ｂ１７の上流端はこの三角エリア９ｄにある。
【００４４】
吹出グリル１２の側壁１２ｂの出口部分に斜面１２ｃを設けたことにより、吹出風（矢印ｅ）は斜面１２ｃに沿って吹き出され、斜面１２ｃが無い時よりも吹出角度が大きくなる。このことにより、突起部Ａ１６、突起部Ｂ１７を配置する位置を吹出口７側に近づけることが出来、吹出風（矢印ｆ）を吹出口７により近い位置から曲げることが出来、結果吹出角度をより大きくすることが出来る。
【産業上の利用可能性】
【００４５】
本発明に係わる空気調和機は、上下風向変更羽根を上羽根と下羽根で構成し下羽根は吹出口の幅より狭い部分と、端部に吹出口の幅より広い部分を左右に突出させ、その突出した部分に吹出風ガイドを形成し上下風向及び左右風向の変更性能向上するもので、一般家庭で使用される空気調和機や空気清浄機を含む様々な空気調和機として有用である。
【符号の説明】
【００４６】
１  室内機
２  台枠
２ａ  リアケース
３  前面グリル
３ａ  上面開口部
３ｂ  前面開口部
４  前面パネル
５  熱交換器
６  ファン
７  吹出口
８  上羽根
８ａ  駆動軸
８ｂ  幅狭部
８ｃ  幅広部
９  下羽根
９ａ  駆動軸
９ｂ  幅狭部
９ｃ  幅広部
９ｄ  三角エリア
１０  左右羽根
１０ａ  左羽根
１０ｂ  右羽根
１１  フィルタ
１２  吹出グリル
１２ａ  スタビライザ
１２ｂ  側壁
１２ｃ  斜面
１３  連結桟
１５  通風路
１６  突起部Ａ
１６ａ  上流端
１６ｂ  下流端
１７  突起部Ｂ
【図１】
2013011413.tif 000003
【図２】
2013011413.tif 000004
【図３】
2013011413.tif 000005
【図４】
2013011413.tif 000006
【図５】
2013011413.tif 000007
【図６】
2013011413.tif 000008
【図７】
2013011413.tif 000009
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
室内機に、吹出口から吹き出される空気の向きを上下に変更する上羽根と下羽根とを有す上下風向変更羽根と、空気の向きを左右に変更する左右風向変更羽根とを備え、前記上下風向変更羽根は、前記吹出口の両側壁の間に位置する幅狭部と、前記幅狭部より前方に位置する幅広部とを有し、前記幅狭部の横幅が前記吹出口の横幅より短く、前記幅広部の横幅が前記吹出口の横幅より長い空気調和機であって、前記上羽根と前記下羽根のうち少なくとも前記下羽根には前記幅広部の両端近傍に、上流側から下流側且つ外側に向かって延びる突起部を設けたことを特徴とする空気調和機。
【請求項２】
室内機に、吹出口から吹き出される空気の向きを上下に変更する上羽根と下羽根とを有す上下風向変更羽根と、空気の向きを左右に変更する左右風向変更羽根とを備え、前記上下風向変更羽根は、前記吹出口の両側壁の間に位置する幅狭部と、前記幅狭部より前方に位置する幅広部とを有し、前記幅狭部の横幅が前記吹出口の横幅より短く、前記幅広部の横幅が前記吹出口の横幅より長い空気調和機であって、前記上羽根と前記下羽根のうち少なくとも前記下羽根には前記幅狭部より前記幅広部に向かって幅が徐々に拡大する拡大部分を有し、前記下羽根の両端近傍には、前記拡大部分から前記幅広部にかけて、上流側から下流側且つ外側に向かって延びる突起部を設けたことを特徴とする空気調和機。
【請求項３】
前記突起部の上流端が前記吹出口の側壁の最小幅の部分より下流側に有り、前記突起部の下流端は前記上流端より前記吹出口の両端部に近接していることを特徴とする請求項１あるいは２のいずれかに記載の空気調和機。
【請求項４】
前記突起部の上流端から下流端に向かって前方に膨らみを持ち滑らかに弧を描いていることを特徴とする請求項１あるいは２のいずれかに記載の空気調和機。
【請求項５】
前記突起部は、内側の突起部と外側の突起部の２本の突起部から形成され、前記内側の突起部と前記外側の突起部の間隔が上流端から下流端に向かって徐々に拡がるように配置したことを特徴とする請求項１〜４のいずれかに記載の空気調和機。
【請求項６】
前記突起部の吹出口側の長手方向の面は上流端から下流端に向かって前記上下風向変更羽
根の面に対して傾斜が徐々に大きくなるように設定したことを特徴とする請求項１〜５のいずれかに記載の空気調和機。